(57)【要約】【課題】  内容物を１個ずつ確実に取り出すことができると共に、紙箱等に梱包する際にも嵩張ることがない振出容器を提供することである。【解決手段】  底面壁とその周縁に周壁を備えた容器本体と、前記底面壁と相似形の天面壁とその周縁に周壁を備えた蓋体とからなり、前記容器本体と前記蓋体にそれぞれ設けられた係合手段により一体とした粒状の内容物を収容する振出容器において、前記容器本体にはその内部に周壁の一つから連接してその頂部に凹部を有する断面が直角のある台形上の台座が前記頂部から連接する傾斜面を前記一つの周壁の対向する位置にある周壁側に傾斜するように設けられると共に前記蓋体にはその内部に前記容器本体の前記台座が連接する前記一つの周壁に振出容器とした際に対応する周壁に連接して内容物を前記容器本体の凹部に導き入れるガイド板が設けられていることを特徴とする振出容器。【選択図】        図１
2005145530.tif 000002
【特許請求の範囲】
【請求項１】
底面壁とその周縁に周壁を備えた容器本体と、前記底面壁と相似形の天面壁とその周縁に周壁を備えた蓋体とからなり、前記容器本体と前記蓋体の前記周壁は対向する位置に形成されたそれぞれ一組の平行な第１周壁および第１１周壁と、該第１周壁および第１１周壁のそれぞれの一方の端部同士を繋ぎ前記第１周壁および第１１周壁と同じ高さの第２周壁および第１２周壁と、前記第１周壁および第１１周壁のそれぞれの他方の端部同士を繋ぎ前記第１周壁および第１１周壁より高さが低く、かつ、それぞれの高さの和が前記第１周壁および第１１周壁の高さに略等しい第３周壁および第１３周壁とを有すると共に、前記容器本体の前記第１周壁の両基底部外縁に前記第１周壁に平行に形成された係合溝と前記蓋体の前記第１１周壁の自由端部に前記第１１周壁に平行に形成された前記係合溝と摺動可能に係合する係合突出片とを有し、前記第３周壁と第１３周壁の頂面を対向させて前記容器本体と前記蓋体とを前記係合溝と前記係合突出片とで係合することにより一体とした粒状の内容物を収容する振出容器において、前記容器本体にはその内部に前記第３周壁に連接してその頂部に凹部を有する断面が直角のある台形上の台座が前記頂部から連接する傾斜面を前記第２周壁側に傾斜するように設けられると共に前記蓋体にはその内部に前記第１３周壁に連接して内容物を前記容器本体の凹部に導き入れるガイド板が設けられ、さらに前記蓋体を閉じた状態で前記蓋体の自由な摺動を止める第１停止手段と前記蓋体を開方向へ摺動して前記容器本体の凹部を露出した状態で前記蓋体の摺動を止める第２停止手段とを備えていることを特徴とする振出容器。
【請求項２】
前記第１１周壁が前記第１３周壁に連接する側に前記第１３周壁と同じ高さの第１４周壁部を備え、前記第１周壁が前記第３周壁に連接する側に前記第１４周壁部に対応する前記第３周壁と同じ高さの第４周壁部を備えていることを特徴とする請求項１記載の振出容器。
【発明の詳細な説明】
【技術分野】
【０００１】
本発明は、錠剤状の医薬品、粒状の清涼剤等の食品などの内容物を小出し使用する携帯用の振出容器に関するものである。
【背景技術】
【０００２】
従来、錠剤状の医薬品や粒状の清涼剤等を収納して、小出しにしようするための振出容器としては、たとえば、容器本体に設けた小出し用取出口を摺動可能な蓋体によって開閉するようにしたものが知られている（たとえば、特許文献１参照）。
【０００３】
特許文献１に開示された携帯用ケースは、内容物の小出し用取出口と収納部が連通しているために、蓋体を開方向側に摺動させて小出し用取出口を開放し、この小出し用取出口から内容物を取り出す際に、前記取出口を下側に向けると、内容物が複数個出てくるために、たとえば、内容物を１個だけ取り出したい場合、内容物を確実に１個だけ取り出すことは結構困難さを伴うものであった。
【０００４】
そこで、上記問題を解決するものとして、小出し用取出口から確実に内容物を１個だけ取り出す振出し容器が提案されている（たとえば、特許文献２参照）。この特許文献２に開示された振出し容器は、容器本体に設けた小出し用取出口と内容物収納部の間の容器本体内側に突き出る凸部を設けると共に、蓋体の前記凸部に対応する位置に外側に突き出る膨出部を形成することにより、複数種類の内容物を各１個ずつ確実に取り出すようにしたものである。
【０００５】
しかしながら、特許文献２記載の振出し容器は、蓋体に膨出部を有するために、紙箱等に梱包する際には、整列した状態で梱包することができないために（嵩張るために）無駄な空間ができ、入数に対する紙箱のコストがアップするといった問題や店頭で販売する際にも陳列し難いといった問題があった。
【特許文献１】特開平１１−１０５９４９号公報
【特許文献２】特開２００１−２４０１５８号公報
【発明の開示】
【発明が解決しようとする課題】
【０００６】
そこで本発明は、上記した問題点を解決するためになしたものであって、内容物を１個ずつ確実に取り出すことができると共に、紙箱等に梱包する際にも嵩張ることがない振出容器を提供することである。
【課題を解決するための手段】
【０００７】
本発明者は、上記課題を達成するために、請求項１記載の本発明は、底面壁とその周縁に周壁を備えた容器本体と、前記底面壁と相似形の天面壁とその周縁に周壁を備えた蓋体とからなり、前記容器本体と前記蓋体の前記周壁は対向する位置に形成されたそれぞれ一組の平行な第１周壁および第１１周壁と、該第１周壁および第１１周壁のそれぞれの一方の端部同士を繋ぎ前記第１周壁および第１１周壁と同じ高さの第２周壁および第１２周壁と、前記第１周壁および第１１周壁のそれぞれの他方の端部同士を繋ぎ前記第１周壁および第１１周壁より高さが低く、かつ、それぞれの高さの和が前記第１周壁および第１１周壁の高さに略等しい第３周壁および第１３周壁とを有すると共に、前記容器本体の前記第１周壁の両基底部外縁に前記第１周壁に平行に形成された係合溝と前記蓋体の前記第１１周壁の自由端部に前記第１１周壁に平行に形成された前記係合溝と摺動可能に係合する係合突出片とを有し、前記第３周壁と第１３周壁の頂面を対向させて前記容器本体と前記蓋体とを前記係合溝と前記係合突出片とで係合することにより一体とした粒状の内容物を収容する振出容器において、前記容器本体にはその内部に前記第３周壁に連接してその頂部に凹部を有する断面が直角のある台形上の台座が前記頂部から連接する傾斜面を前記第２周壁側に傾斜するように設けられると共に前記蓋体にはその内部に前記第１３周壁に連接して内容物を前記容器本体の凹部に導き入れるガイド板が設けられ、さらに前記蓋体を閉じた状態で前記蓋体の自由な摺動を止める第１停止手段と前記蓋体を開方向へ摺動して前記容器本体の凹部を露出した状態で前記蓋体の摺動を止める第２停止手段とを備えていることを特徴とするものである。このように構成することにより、内容物を１個ずつ確実に取り出すことができ、また、梱包する際にも嵩張ることがない振出容器とすることができる。
【０００８】
また、請求項２記載の本発明は、請求項１記載の振出容器において、前記第１１周壁が前記第１３周壁に連接する側に前記第１３周壁と同じ高さの第１４周壁部を備え、前記第１周壁が前記第３周壁に連接する側に前記第１４周壁部に対応する前記第３周壁と同じ高さの第４周壁部を備えていることを特徴とするものである。このように構成することにより、振出容器を閉じた状態で前記蓋体の前記第１３周壁側の前記第１１周壁の端部が、振出容器のコーナー部に位置しないために、手指等を前記第１１周壁の端部で不可抗力により損傷することを防止することができる。
【発明の効果】
【０００９】
上記の構成からなる本発明の振出容器は、内容物を１個ずつ確実に取り出すことができると共に、紙箱等に梱包する際にも嵩張ることがないという優れた効果を奏するものである。
【発明を実施するための最良の形態】
【００１０】
上記の本発明について、図面等を用いて以下に詳しく説明する。
図１は本発明にかかる振出容器の一実施例を示す斜視図、図２は図１のＸ−Ｘ線断面図、図３は本発明にかかる振出容器の容器本体の一実施例を示す内面側斜視図、図４は本発明にかかる振出容器の図３に対応する蓋体の内面側斜視図、図５は本発明にかかる振出容器の内容物の取り出し方法を説明する図であり、図中の１は振出容器、２は容器本体、３は蓋体、４は凹部、５，５１，５２はガイド板、６，７は停止手段、２０は底面壁、２１は第１周壁、２２は第２周壁、２３は第３周壁、２４は第４周壁、２５は台座、３０は天面壁、３１は第１１周壁、３２は第１２周壁、３３は第１３周壁、３４は第１４周壁、Ｓ２，Ｓ３は周壁、Ｍ２は係合溝、Ｔ３は係合突出片をそれぞれ示す。
【００１１】
図１は本発明にかかる振出容器の一実施例を示す斜視図、図２は図１のＸ−Ｘ線断面図であって、振出容器１は底面壁２０とその周縁に周壁Ｓ２を備えた容器本体２と、前記底面壁２０と相似形の天面壁３０とその周縁に周壁Ｓ３を備えた蓋体３とからなり、前記容器本体３に設けた係合溝Ｍ２と前記蓋体３に設けた係合突出片Ｔ３とで係合することにより前記容器本体２と前記蓋体３とを一体としたものである。図１において、振出容器１は閉じた状態であるが、前記蓋体３を右側方向（図１上）に摺動することにより小出し用取出口が開放される。
【００１２】
図３は本発明にかかる振出容器の容器本体の内面側斜視図であって、容器本体２は底面壁２０の周縁に周壁Ｓ２を備え、該周壁Ｓ２は対向する位置に形成された一組の平行な第１周壁２１と、該第１周壁２１の一方の端部同士を繋ぎ前記第１周壁２１と同じ高さの第２周壁２２と、前記第１周壁２１の他方の端部同士を繋ぎ前記第１周壁２１より高さが低い第３周壁２３と、前記第１周壁２１が前記第３周壁２３に連接する側に前記第３周壁２３と同じ高さでその一部が前記第１周壁２１間の寸法よりも幅広に構成された第４周壁２４を備え、さらに前記第３周壁２３に連接してその頂部中央部に凹部４を有する断面が直角のある台形状の台座２５が前記頂部から連接する傾斜面を前記第２周壁２２側に傾斜するように設けられると共に前記第１周壁２１の両基底部外縁に前記第１周壁２１に平行に前記係合溝Ｍ２が設けられている。なお、前記凹部４が粒状の内容物を１個ずつ取り出す小出し用取出口となる。
【００１３】
図４は本発明にかかる振出容器の図３に対応する蓋体の内面側斜視図であって、蓋体３は天面壁３０の周縁に周壁Ｓ３を備え、該周壁Ｓ３は対向する位置に形成された一組の平行な第１１周壁３１と、該第１１周壁３１の一方の端部同士を繋ぎ前記第１１周壁３１と同じ高さの第１２周壁３２と、前記第１１周壁３１の他方の端部同士を繋ぎ前記第１１周壁３１より高さが低い第１３周壁３３と、前記第１１周壁３１が前記第１３周壁３３に連接する側に前記第１３周壁３３と同じ高さで前記容器本体２に設けられた前記第４周壁２４の幅広部の外面と面一となるように設けられた第１４周壁３４とを備えると共に、前記第１１周壁３１の自由端部に前記第１１周壁３１に平行に前記係合溝Ｍ２と摺動可能に係合する係合突出片Ｔ３が設けられ、さらに前記第１３周壁３３に連接して前記第１１周壁３１側に前記第１１周壁３１に対して平行に延びる前記第１３周壁の高さと略同じ高さの二条の第１ガイド板５１と、該二条の第１ガイド板５１にそれぞれ連接して互いに乖離する方向に、かつ、乖離するに従って高さが連続的に高くなるような傾斜面を有する第２ガイド板５２とからなるガイド板５が設けられると共に前記蓋体３を閉じた状態で前記蓋体３の自由な摺動を止める、たとえば、略半球状の突起からなる第１停止手段６と前記蓋体３を摺動することにより前記凹部４を露出した状態で前記蓋体３のさらなる開放を止める、たとえば、半月状の突起からなる第２停止手段７が設けられている。前記蓋体３の前記第１停止手段６は前記容器本体２の前記第２周壁２２の頂部を乗り越えることにより前記蓋体３を閉じた状態で前記蓋体３の自由な摺動を止める、あるいは、摺動を可能にするように設けられている。また、前記蓋体３の前記第２停止手段７は前記蓋体３を図１上の右側に摺動させた際に前記容器本体２の前記第２周壁２２の頂部が当接してさらなる開放を止めるように設けられている。なお、前記蓋体３に設けた第１ガイド板５１はその内縁が前記容器本体２に設けた前記凹部４の外縁と略一致するように、かつ、前記台座２５の頂部と略一致するように設けられ、前記第２ガイド板５２は前記第１１周壁３１近傍に至るように設けられると共に前記第２ガイド板５２の傾斜面は前記容器本体２に設けた前記台座２５の傾斜面と略一致するように設けられているものである。
【００１４】
次に、本発明の振出容器１の使い方について説明する。たとえば、扁平な円柱形状の内容物Ａを図３に示した前記容器本体２内に数十個収容して後に前記容器本体２の前記第３周壁２３と前記蓋体３の前記第１３周壁３３とが対応するようにして前記容器本体２の前記係合溝Ｍ２に前記蓋体３の前記係合突出片Ｔ３を係合させて前記容器本体２と前記蓋体３とを一体して図１に示す本発明の振出容器となす。その次に、前記振出容器１の前記凹部４側を下側にして軽く振ると、内容物は前記蓋体３の天面壁に対する前記容器本体２に設けた前記台座２５の傾斜面の効果で扁平な面が前記台座２５に当接するように整列されると共に前記蓋体３に設けた第２ガイド板５２により第１ガイド板５１へ導かれて内容物が１個収容される大きさに構成されている前記凹部４内に内容物Ｎが１個収容される。その後、前記蓋体３を図１上の右側に摺動すると前記蓋体３の前記第１３周壁３３の効果により前記凹部４内に収容された内容物Ｎ以外は前記容器本体２内に戻されると共に図５に示すように内容物Ｎが一個収容された前記凹部４が露出する。その後、前記凹部４から内容物を１個取出して前記蓋体３を図５上の左側に摺動し図１に示す閉止状態にして、上記した内容物取り出し作業を繰り返し行なうことにより、内容物Ｎを確実に１個ずつ振出容器１から取り出すことができる。なお、振出容器１の容器本体２と蓋体３とは射出形成で形成されるものであるが、これに用いる樹脂としては、アクリル−ブタジエン−スチレン共重合体（ＡＢＳ）、ポリスチレン、ポリプロピレン、ポリエチレン等の熱可塑性樹脂を例示することができる。
【００１５】
なお、説明はしなかったが、前記容器本体２の台座２５の頂部と前記蓋体３の天面壁３０の間隔、前記台座２５の傾斜角度、あるいは、前記凹部４の形状や大きさ、深さ、あるいは、、第１ガイド板５１の間隔、高さや第２ガイド板５２の広がり角度などのガイド板４の各寸法等は内容物の形状、大きさ等により適宜決めればよいものである。また、内容物の形状としては、上記で説明した扁平な円柱形状に限ることはなく、球状や扁平な多角柱形状等の周知の医薬品や清涼剤等の形状である。また、振出容器１の形状としては、例示した扁平な矩形状に限ることはなく、本発明の趣旨を逸脱しない範疇の形状、すなわち、対向する位置に一組の平行な周壁を形成することができる形状、たとえば、６角形、８角形等の偶数の辺からなる多角形状や陸上競技場の競争路のような長楕円形状等である。また、実施例においては、内容物を１個ずつ確実に取り出すことができるものを示したが、本発明の趣旨を逸脱しない範疇からすると前記容器本体２側の前記凹部４を前記第１周壁２１に直交する方向に複数個設けることも可能である。
【図面の簡単な説明】
【００１６】
【図１】本発明にかかる振出容器の一実施例を示す斜視図である。
【図２】図１のＸ−Ｘ線断面図である。
【図３】本発明にかかる振出容器の容器本体の一実施例を示す内面側斜視図である。
【図４】本発明にかかる振出容器の図３に対応する蓋体の内面側斜視図である。
【図５】本発明にかかる振出容器の内容物の取り出し方法を説明する図である。
【符号の説明】
【００１７】
１                    振出容器
２                    容器本体
３                    蓋体
４                    凹部
５，５１，５２        ガイド板
６，７                停止手段
２０                  底面壁
２１                  第１周壁
２２                  第２周壁
２３                  第３周壁
２４                  第４周壁
２５                  台座
３０                  天面壁
３１                  第１１周壁
３２                  第１２周壁
３３                  第１３周壁
３４                  第１４周壁
Ｓ２，Ｓ３            周壁
Ｍ２                  係合溝
Ｔ３                  係合突出片
【図１】
2005145530.tif 000003
【図２】
2005145530.tif 000004
【図３】
2005145530.tif 000005
【図４】
2005145530.tif 000006
【図５】
2005145530.tif 000007